(57)【要約】      （修正有）【課題】装飾体を、パネル本体に安定的に固定することができる装飾パネル及び玄関パネルを提供する。【解決手段】装飾パネルとしての玄関パネル１は、装飾体と、この装飾体を複数箇所で固定する係止受け部３２が設けられたパネル本体と、を備え、前記装飾体には、前記パネル本体に沿うベース板２１と、該ベース板から突出するとともに前記係止受け部に着脱可能に係止する複数の係止部と、が設けられる。【選択図】図３
0003174673.tif 000002
【実用新案登録請求の範囲】
【請求項１】
装飾体と、
この装飾体を複数箇所で固定する係止受け部が設けられたパネル本体と、を備え、
前記装飾体には、前記パネル本体に沿うベース板と、
該ベース板から突出するとともに前記係止受け部に着脱可能に係止する複数の係止部と、が設けられたことを特徴とする装飾パネル。
【請求項２】
前記パネル本体には、複数の凹部又は複数の貫通孔が形成され、
前記複数の凹部又は前記複数の貫通孔のうち少なくとも２つが前記係止受け部であることを特徴とする請求項１記載の装飾パネル。
【請求項３】
前記装飾体が複数設けられ、
これら複数の装飾体のうち少なくとも１つの機能が異なることを特徴とする請求項１又は請求項２記載の装飾パネル。
【請求項４】
請求項１乃至請求項３のうちいずれか記載の装飾パネルであって、
前記パネル本体が、玄関を構成する外壁に固定されていることを特徴とする玄関パネル。
【請求項５】
前記装飾体は、フォトフレーム、ネームプレートベース、マルチフック、ディスプレイトレイ、メッセージホルダー、ハンギングバー、エチケットミラーのうちから選択された少なくとも１つであることを特徴とする請求項４記載の玄関パネル。
【考案の詳細な説明】
【技術分野】
【０００１】
本考案は、装飾体と、この装飾体が着脱自在に固定されるパネル本体と、を備えた装飾パネル、及び玄関パネルに関するものである。
【背景技術】
【０００２】
集合住宅等の玄関には、表札やインターホンなどが取り付けられた玄関パネルが取付けられている。この玄関パネルは、玄関を構成する壁に固定される化粧板と、該化粧板に取り付けられるフックと、を備えている。この化粧板には、複数のドット穴が等間隔に形成されている。フックは、傘や手荷物を引っ掛けるためのＬ字状のフック本体と、１つのドット穴内に差し込まれ、このドット穴の縁に係止する係止片と、を備えている。（例えば、特許文献１を参照）。
【先行技術文献】
【特許文献】
【０００３】
【特許文献１】特開２００８−１１３８１５号公報
【考案の概要】
【考案が解決しようとする課題】
【０００４】
しかしながら、上述した従来の玄関パネルにおいて、フックは、係止片がドット穴内に差し込まれ、このドット穴の縁に係止することにより、化粧板に１点固定されていたので、化粧板への取り付け（固定）が不安定であるという問題があった。
【０００５】
本考案の目的は、装飾体を、パネル本体に安定的に固定することができる装飾パネル、及び玄関パネルを提供することにある。
【課題を解決するための手段】
【０００６】
請求項１に記載の本考案は、装飾体と、この装飾体を複数箇所で固定する係止受け部が設けられたパネル本体と、を備え、前記装飾体には、前記パネル本体に沿うベース板と、該ベース板から突出するとともに前記係止受け部に着脱可能に係止する複数の係止部と、が設けられたことを特徴とする装飾パネルである。
【０００７】
上記構成により、パネル本体には、装飾体を複数箇所で固定する係止受け部が設けられ、装飾体には、パネル本体に沿うベース板と、該ベース板から突出するとともに係止受け部に着脱可能に係止する複数の係止部と、が設けられているので、装飾体は、ベース板に設けられた複数の係止部が、パネル本体の係止受け部に係止することにより、パネル本体の複数箇所で固定される。
【０００８】
請求項２に記載の本考案は、請求項１に記載された装飾パネルにおいて、前記パネル本体には、複数の凹部又は複数の貫通孔が形成され、前記複数の凹部又は前記複数の貫通孔のうち少なくとも２つが前記係止受け部であることを特徴とする。
【０００９】
上記構成により、パネル本体には複数の凹部又は複数の貫通孔が形成されているので、装飾体をパネル本体の任意の箇所に固定したり、所望により装飾体の配置を変更することができる。
【００１０】
請求項３に記載の本考案は、請求項１又は請求項２に記載された装飾パネルにおいて、前記装飾体が複数設けられ、これら複数の装飾体のうち少なくとも１つの機能が異なることを特徴とする。
【００１１】
上記構成により、装飾体が複数設けられたので、任意に選択された機能の異なる装飾体を、パネル本体に固定することができ、使用者の使い勝手、及び外観の向上を図ることができる。
【００１２】
請求項４に記載の本考案は、請求項１乃至請求項３のうちいずれか記載の装飾パネルであって、前記パネル本体が、玄関を構成する外壁に固定されていることを特徴とする玄関パネルである。
【００１３】
上記構成により、パネル本体が、玄関を構成する外壁に固定され、装飾体がパネル本体に固定されるので、玄関において、我が家らしさを演出できるとともに、より一層、使用者の使い勝手、及び外観の向上を図ることができる。
【００１４】
請求項５に記載の本考案は、請求項４に記載された玄関パネルにおいて、前記装飾体は、フォトフレーム、ネームプレートベース、マルチフック、ディスプレイトレイ、メッセージホルダー、ハンギングバー、エチケットミラーのうちから選択された少なくとも１つであることを特徴とする。
【００１５】
上記構成により、装飾体は、フォトフレーム、ネームプレートベース、マルチフック、ディスプレイトレイ、メッセージホルダー、ハンギングバー、エチケットミラーのうちから選択された少なくとも１つであるので、任意に選択された機能の異なる装飾体を、パネル本体に固定することができるので、玄関において、我が家らしさを演出できるとともに、より一層、使用者の使い勝手、及び外観の向上を図ることができる。
【考案の効果】
【００１６】
本考案によれば、装飾体は、ベース板に設けられた複数の係止部が、パネル本体の係止受け部に係止することにより、パネル本体の複数箇所で固定されるので、装飾体を、パネル本体に安定的に固定することができるとともに、使用者の所望に応じて、装飾体を取り外したり、新しいものに取り替えたりできるので、使用者の使い勝手、及び外観の向上を図ることができる。
【図面の簡単な説明】
【００１７】
【図１】本考案の第１の実施形態を示す玄関パネルの斜視図である。
【図２】（Ａ）は、図１に示された玄関パネルを拡大して示す平面図であり、（Ｂ）〜（Ｄ）は、装飾体の変形例を示す図である。
【図３】図１に示された玄関パネルを構成するパネル本体に装飾体を固定する様子を示す斜視図である。
【図４】図３に示された装飾体を別の角度から見た斜視図である。
【図５】図２中のＩ−Ｉ線に沿う断面図である。
【図６】本考案の第２の実施形態を示す玄関パネルの平面図である。
【図７】図６に示された玄関パネルを拡大して示す斜視図である。
【考案を実施するための形態】
【００１８】
以下、本考案の第１の実施形態にかかる装飾パネルとしての玄関パネルを、図１〜図５に基いて説明する。図１、図２に示された玄関パネル１、１Ａは、装飾体２と、この装飾体２が複数箇所で固定される板状のパネル本体３と、を備えている。この装飾体２には、複数の係止部２２（後述する）が設けられ、パネル本体３には、装飾体２の各係止部２２が着脱可能に係止する複数の係止受け部３２（後述する）が設けられている。即ち、装飾体２は、パネル本体３に取り付け、取り外し自在に設けられている。
【００１９】
また、図２、図３に示すように、本実施形態では、装飾体２として、機能の異なる複数の装飾体２Ａ、２Ａ´、２Ｂ、２Ｃ、２Ｄ、２Ｅが設けられ、このうちから、任意に選択された４つの装飾体２Ａ、２Ｂ、２Ｃが、パネル本体３に固定されている。ここで、玄関パネル１Ａには、装飾体２Ａとして、同じ機能を有するとともに大きさの異なる２つの装飾体２が用いられている。このように、本実施形態では、同じ機能を有する装飾体２が複数用いられても良い。また、本実施形態では、４つの装飾体２がパネル本体３に固定されているが、本考案はこれに限ったものではなく、装飾体２は、パネル本体３に１つ以上固定されていれば良く、４つ以上固定されても良い。
【００２０】
装飾体２は、図４に示すように、金属から構成され、パネル本体３の表面に沿う矩形状のベース板２１と、該ベース板２１の一方の面から突出した係止部２２と、を備えている。
【００２１】
係止部２２は、複数（図示例では４つ）設けられている。４つの係止部２２は、水平方向（矢印Ｙ方向）に間隔をあけて２つずつ設けられているとともに、これら２つずつの係止部２２は、鉛直方向（矢印Ｚ方向）に間隔をあけて設けられている。本実施形態では、係止部２２が４つ設けられているが、本考案はこれに限ったものではなく、２つ以上であればよい。
【００２２】
各係止部２２は、パネル本体３に向かって突出して、パネル本体３に設けられた係止受け部３２(後述する)内に挿通される挿通部２３と、該挿通部２３の端部が、鉛直方向(矢印Ｚ方向)の下方に折り曲げられて形成された折曲部２４と、によってＬ字状に形成されている。また、挿通部２３、及び折曲部２４は、厚み寸法が等しく形成されているとともに、水平方向（矢印Ｙ方向）に沿う寸法が、等しく形成されている。この折曲部２４は、ベース板２１と間隔をあけて対向している。そして、係止部２２は、折曲部２４とベース板２１との間に、パネル本体３を挟持することにより、係止受け部３２に係止する。
【００２３】
装飾体２、２Ａには、図２（Ａ）、図３に示すように、写真や子供の作品・ウェルカムプレートなどの紙材Ｐ（図３に示す）を保持する保持部材２３Ａが設けられている。装飾体２Ａは、フォトフレームとして機能する。この保持部材２３Ａは、互いの間に写真などの紙材Ｐを挟む、一対の無色透明なアクリル板２５と、このアクリル板２５をベース板２１に固定するための複数本の固定部材２６と、を備えている。このアクリル板２５は、その平面視がベース板２１の平面視と等しい寸法に形成されている。または、装飾体２Ａは、住宅の持ち主の名前が記載されたベース板２１に、保持部材２３Ａを取り付けても良く、この場合は、アクリル板２５とベース板２１との間に紙材Ｐを挟まなくてもよい。
【００２４】
または、図２（Ｂ）、図７に示すように、装飾体２、２Ａ´は、住宅の持ち主の名前が記載されたベース板２１と、係止部２２と、で構成されていても良い。即ち、装飾体２Ａ´は、ネームプレートベースとして機能する。
【００２５】
装飾体２、２Ｂには、図２（Ａ）、図３に示すように、カバンＢの持ち手Ｂａを掛けるフック部２３Ｂが設けられている。装飾体２Ｂは、マルチフックとして機能する。フック部２３Ｂは、水平方向（矢印Ｙ方向）に間隔をあけて２つ設けられている。各フック部２３Ｂは、ベース板２１の他方の面から突出した座部２７と、該座部２７から棒状に立設されているとともに座部２７よりも小径な軸部２８と、該軸部２８の端部に設けられているとともに該軸部２８よりも大径な頭部２９と、を一体に備えている。本実施形態では、フック部２３Ｂは２つ設けられているが、本考案はこれに限ったものではなく、フック部２３Ｂは少なくとも１つ設けられていれば良い。
【００２６】
装飾体２、２Ｃには、図２（Ａ）、図７に示すように、グリーンポッド、オブジェ、人形等を保持する保持部２３Ｃが設けられている。装飾体２Ｃは、ディスプレイトレイとして機能する。この保持部２３Ｃは、グリーンポッド、オブジェ、人形等が載置される載置部３３と、この載置部３３よりも鉛直方向（矢印Ｚ方向）の上方側に設けられた柵部３４と、を備えている。載置部３３は、ベース板２１から板状に延び、その表面が水平方向（矢印Ｙ方向）に沿った底板３５と、この底板３５の周縁から板状に立設された縁部３６と、を備えている。底板３５は、ベース板２１の下端に設けられ、その水平方向（矢印Ｙ方向）に沿う寸法は、ベース板２１の水平方向に沿う寸法と等しく形成されている。柵部３４は、帯板状の部材がコ字状に曲げられることにより形成され、その両端部の各々が、ベース板２１の水平方向の両端部に連なっている。縁部３６と柵部３４とは、同一形状に形成されている。
【００２７】
装飾体２、２Ｄには、図２（Ｃ）に示すように、新聞や回覧を保持するためのホルダー２３Ｄが設けられている。装飾体２Ｄは、メッセージホルダーとして機能する。このホルダー２３Ｄは、ベース板２１と間隔をあけて対向する対向板３７と、ベース板２１と対向板３７との縁同士を連結する連結板３８と、を備え、Ｌ字状に形成されている。この対向板３７の鉛直方向（矢印Ｚ方向）の寸法は、ベース板２１の鉛直方向の寸法よりも小さく形成されている。
【００２８】
装飾体２、２Ｅには、図２（Ｄ）、図７に示すように、傘の柄などが引っ掛けられる被引掛部２３Ｅが設けられている。装飾体２Ｅは、ハンギングバーとして機能する。この被引掛部２３Ｅは、ベース板２１から、水平方向（矢印Ｙ方向）に間隔をあけて設けられているとともに棒状に立設された一対の立設部３８と、該一対の立設部３８同士を連結する連結部３９と、を備え、コ字状に形成されている。
【００２９】
または、装飾体２として、訪問者の身だしなみをチェックするためのミラー（図示しない）が設けられ、装飾体２は、エチケットミラーとして機能してもよい。
【００３０】
パネル本体３、３Ａは、図１に示すように、玄関ドアＤを有する外壁１０に直交する直交壁１１（外壁）に固定され、その表面が、鉛直方向（矢印Ｚ方向）に沿っている。また、パネル本体３Ａには、水平方向（矢印Ｙ方向）に沿う寸法が、鉛直方向に沿う寸法よりも大きく形成された長方形状に形成された板状に形成されている。このパネル本体３Ａには、直交壁１１との間に隙間をあけて対向するように、直交壁１１側に凹部３０ａが形成されている。この凹部３０ａの底面と直交壁１１と隙間は、係止部２２の折曲部２４の厚み寸法よりも小さく形成されている。パネル本体３Ａの長手方向（矢印Ｙ方向）側には、玄関から室内を呼び出すのに用いられるインターホンＩが固定されている。
【００３１】
このパネル本体３Ａには、平面視が正方形状の貫通孔３ａが複数形成されている。これらの貫通孔３ａは、鉛直方向（矢印Ｚ方向）に沿って並んだ４つの貫通孔３ａが、水平方向（矢印Ｙ方向）に１２列設けられているとともに、等間隔に形成されている。また、互いに隣り合う貫通孔３ａ間の鉛直方向及び水平方向(矢印Ｙ方向)の寸法は、前述した装飾体２の互いに隣り合う係止部２２間の寸法と等しく形成されている。これらの貫通孔３ａのうち、係止部２２が係止する貫通孔３ａは「係止受け部３２（３ａ）」である。本実施形態では、パネル本体３Ａには複数の貫通孔３ａが形成されているが、本考案はこれに限ったものではなく、パネル本体３Ａの直交壁１１から離れた側の面に設けられているとともに、係止部２２が係止可能な凹部であってもよい。
【００３２】
続いて、第２の実施形態にかかる玄関パネル１、１Ｂについて、図６、図７を参照して説明する。玄関パネル１、１Ｂは、図６に示すように、装飾体２と、この装飾体２が複数箇所で固定される板状のパネル本体３、３Ｂと、を備えている。なお、図６、図７において、前述した実施形態と同一部分には、同一符号を付して説明を省略する。
【００３３】
パネル本体３Ｂは、玄関ドアＤを有する外壁１０に固定され、その表面が、鉛直方向（矢印Ｚ方向）に沿って設けられている。また、パネル本体３Ｂは、平面視がＬ字状に形成され、このパネル３には、鉛直方向（矢印Ｚ方向）の上方側に装飾体２Ａが取り付けられ、この装飾体２Ａの下方側に装飾体２Ｃが取り付けられ、この装飾体２Ｃと水平方向（矢印Ｙ方向）に並ぶ位置に装飾体２Ｅ、２Ｆが取り付けられている。この装飾体２Ｅは、装飾体２Ｆよりも下方側に取り付けられている。また、インターホンＩは、装飾体２Ａと、水平方向に並ぶ位置に固定されている。このように、インターホンＩとパネル本体３Ｂとで正方形状になるように、インターホンＩがパネル本体３Ｂの角部に設けられる。
【００３４】
次に、装飾体２をパネル本体３に取り付ける方法について図５を参照して以下に説明する。まず、装飾体２は、挿通部２３が折曲部２４よりも鉛直方向(矢印Ｚ方向)の上方側となる格好で、係止部２２側からパネル本体３に近付け、４つの係止部２２を貫通孔３ａである４つの係止受け部３２内に挿通し、装飾体２を押し下げ、折曲部２４とパネル本体３との間に直交壁１１を挟持させる。こうして、４つの係止部２２が４つの係止受け部３２に係止することにより、装飾体２をパネル本体３の４箇所に固定する。このように、装飾体２がパネル本体３の複数箇所で固定されるので、装飾体２をパネル本体３に安定的に固定することができる。
【００３５】
上述した実施形態によれば、パネル本体３には複数の貫通孔３ａが形成されているので、装飾体２をパネル本体３の任意の箇所に固定したり、所望により装飾体２の配置を変更することができる。
【００３６】
また、装飾体２は、フォトフレーム（２Ａ）、ネームプレートベース（２Ａ´）、マルチフック（２Ｂ）、ディスプレイトレイ（２Ｃ）、メッセージホルダー（２Ｄ）、ハンギングバー（２Ｅ）、エチケットミラー（図示しない）のうちから選択された少なくとも１つであるので、任意に選択された機能の異なる装飾体２を、パネル本体３に固定することができるので、玄関において、我が家らしさを演出できるとともに、より一層、使用者の使い勝手、及び外観の向上を図ることができる。
【００３７】
なお、上述した実施形態では、係止部２２は、折曲部２４は、挿通部２３から下方に折り曲げられていたが、本考案はこれに限ったものではなく、折曲部２４は、挿通部２３から、水平方向(矢印Ｙ方向)に沿って折り曲げられてもよい。
【００３８】
また、上述した実施形態では、装飾パネル１は、玄関パネル１として玄関の壁１０、１１に固定されていたが、装飾パネル１は、住宅の各部屋又は廊下を構成する壁に固定されても良い。
【００３９】
また、上述した実施形態は本考案の代表的な形態を示したに過ぎず、本考案は、実施形態に限定されるものではない。即ち、本考案の骨子を逸脱しない範囲で種々変形して実施することができる。
【符号の説明】
【００４０】
１    玄関パネル（装飾パネル）
２    装飾体
３    パネル本体
３ａ  貫通孔
１０  外壁
１１  直交壁
２２  係止部
３２（３ａ）  係止受け部
【図１】
0003174673.tif 000003
【図２】
0003174673.tif 000004
【図３】
0003174673.tif 000005
【図４】
0003174673.tif 000006
【図５】
0003174673.tif 000007
【図６】
0003174673.tif 000008
【図７】
0003174673.tif 000009